(57)【要約】    【課題】      携帯端末装置を携帯モードあるいは子機モードとして使用する際に、子機モードと携帯モードとの切換を自動的に行うことができるようにすること。    【解決手段】  固定電話機１１０を親機とし携帯端末装置１５０を子機として使用可能な無線通信システム１００であって、携帯端末装置１５０は、ＲＦＩＤタグ１５７を備える。また、固定電話機１１０は、ＲＦＩＤタグ１５７の認証手段としてのＲＦＩＤデータ記憶部１１３、比較回路１１４、ＲＦＩＤリーダ／ライタ１１５を備える。これにより、携帯端末装置１５０が単独の子機として機能する携帯モードと、携帯端末装置１５０が固定電話機１１０の子機として使用される子機モードとを、前記認証手段によるＲＦＩＤタグ１５７の認証で自動的に切り換えることができる。  【選択図】      図１
2006033244.tif 000002
【特許請求の範囲】
【請求項１】
固定電話機を親機とし携帯端末装置を子機として使用可能な無線通信システムであって、
前記携帯端末装置は、誘導電磁界又は電波によって非接触で半導体メモリのデータを読み出しおよび書込みのために近距離通信を行うＲＦＩＤタグを備え、
前記固定電話機は、前記ＲＦＩＤタグの認証手段を備え、
前記携帯端末装置が単独の子機として機能する携帯モードと、前記携帯端末装置が前記固定電話機の子機として使用される子機モードとを、前記認証手段による前記ＲＦＩＤタグの認証で切り換えるモード切換手段を具備することを特徴とする無線通信システム。
【請求項２】
前記携帯端末装置を前記固定電話機の子機として使用する際に、前記ＲＦＩＤタグの認証で前記子機モードと前記携帯モードとを切り換えるモード切換手段を具備することを特徴とする請求項１記載の無線通信システムで用いる携帯端末装置。
【請求項３】
前記モード切換手段は、電源供給をする前記ＲＦＩＤタグを用いて前記子機モードと前記携帯モードとを切り換えることを特徴とする請求項２記載の携帯端末装置。
【請求項４】
前記ＲＦＩＤタグの認証手段を備えていることを特徴とする請求項１記載の無線通信システムで用いる固定電話機。
【発明の詳細な説明】
【技術分野】
【０００１】
本発明は、移動通信方式の携帯端末装置を用いる無線通信システムに関し、特に携帯端末装置を固定電話機の子機として使用することができる無線通信システムに関する。
【背景技術】
【０００２】
従来、この種の無線通信システムにおける携帯端末装置として、トランシーバモードを利用した内線通話において親機経由の内線電話と同等のサービスを実現するもので、公衆モード、家庭(自営)モード、トランシーバモードを備えるものが知られている（例えば、特許文献１参照）。
【０００３】
この携帯端末装置は、公衆モードでは、公衆網に接続され、単独の子機として機能する（以下、このモードを「携帯モード」という）。また、家庭モードでは、屋内などで親機の子機として利用される（以下、このモードを「子機モード」という）。さらに、トランシーバモードでは、子機間直接通話用にトランシーバとして利用される。これらのモードは、屋外や屋内などの使用状況に応じて使い分けることが可能である。
【０００４】
この携帯端末装置においては、子機モードからトランシーバモードに移行すべき指示を受けた場合に、トランシーバモードにおいて、内線通話要求の相手方と子機間直接通話するように制御される。
【特許文献１】特開平１１−９８５７０号公報
【発明の開示】
【発明が解決しようとする課題】
【０００５】
しかしながら、前記従来の無線通信システムにおいては、その携帯端末装置を携帯モードあるいは子機モードとして使用する場合、いずれのモードで使用するかをキー操作により設定しなければならないという問題があった。
【０００６】
本発明は、このような問題を解決するためになされたもので、携帯端末装置を携帯モードあるいは子機モードとして使用する際に、子機モードと携帯モードとの切換を自動的に行うことができる無線通信システムを提供することを目的とする。
【課題を解決するための手段】
【０００７】
かかる課題を解決するため、本発明の無線通信システムは、固定電話機を親機とし携帯端末装置を子機として使用可能な無線通信システムであって、前記携帯端末装置は、誘導電磁界又は電波によって非接触で半導体メモリのデータを読み出しおよび書込みのために近距離通信を行うＲＦＩＤタグを備え、前記固定電話機は、前記ＲＦＩＤタグの認証手段を備え、前記携帯端末装置が単独の子機として機能する携帯モードと、前記携帯端末装置が前記固定電話機の子機として使用される子機モードとを、前記認証手段による前記ＲＦＩＤタグの認証で切り換えるモード切換手段を具備する構成を採る。
【０００８】
この構成によれば、前記認証手段による前記ＲＦＩＤタグの認証により、前記携帯端末装置が単独の子機として機能する携帯モードと、前記携帯端末装置が前記固定電話機の子機として使用される子機モードとを、前記モード切換手段により自動的に切り換えることができる。
【発明の効果】
【０００９】
本発明によれば、携帯端末装置が単独の子機として機能する携帯モードと、携帯端末装置が固定電話機の子機として使用される子機モードとを、自動的に切り換えることができるので、モードの切り換えをキー操作により設定する煩わしさを解消することができる。
【発明を実施するための最良の形態】
【００１０】
以下、本発明の実施の形態について、図面を参照して詳細に説明する。なお、各図に示す実施の形態においては、本発明と関係のない部分の構成を省略する。
【００１１】
（実施の形態１）
図１は、本発明の実施の形態１に係る無線通信システムの構成を示すブロック図である。図１に示すように、本実施の形態１に係る無線通信システム１００は、固定電話機１１０と、携帯端末装置１５０とを備えている。
【００１２】
ここで、固定電話機１１０は、公衆回線１１１、第１スイッチ１１２、ＲＦＩＤデータ記憶部１１３、比較回路１１４、ＲＦＩＤリーダ/ライタ１１５、ＲＦＩＤ認証用アンテナ１１６、子機用送受信アンテナ１１７、第２スイッチ１１８、電源１１９、を備えている。
【００１３】
また、携帯端末装置１５０は、送受信アンテナ１５１、ＲＦＩＤ認証用アンテナ１５２、第３スイッチ１５３、子機モード処理部１５４、携帯モード処理部１５５、入出力部１５６、ＲＦＩＤタグ１５７を備えている。ここで、ＲＦＩＤ(Radio Frequency-IDentification)とは、誘導電磁界又は電波によって非接触で半導体メモリのデータを読み出し、書込みのために近距離通信を行うものの総称をいう。
【００１４】
この携帯端末装置１５０は、親機である固定電話機１１０の子機として使用する際、ＲＦＩＤタグ１５７の認証で子機モードと携帯モードとを切り換える機能を有している。ここで、子機モードとは、固定電話機１１０の子機として携帯端末装置１５０を使用するモードのことである。また、携帯モードとは、携帯端末装置１５０が単独の子機として機能するモードである。この携帯端末装置１５０は、第３スイッチ１５３への制御信号が特に無い場合には、常に携帯モードで使用するように構成されている。
【００１５】
図１を参照して、親機の固定電話機１１０にかかってきた公衆電話を携帯端末装置１５０で受信する機能について説明する。
【００１６】
図１において、固定電話機１１０は、公衆回線１１１からの呼出が発生すると、第２スイッチ１１８に制御信号が送られる。この制御信号を受けた第２スイッチ１１８は、ＲＦＩＤリーダ/ライタ１１５と電源１１９とを接続する。これにより、ＲＦＩＤリーダ/ライタ１１５は、ＲＦフィールド(電磁波)を発生させる。
【００１７】
このＲＦフィールド内に携帯端末装置１５０のＲＦＩＤタグ１５７が入ると、ＲＦＩＤタグ１５７は、自身のもつＩＤとデータとを送信する。ＲＦＩＤタグ１５７から送信されたＩＤとデータとを受信したＲＦＩＤリーダ/ライタ１１５は、受信したＩＤおよびデータと、ＲＦＩＤデータ記憶部１１３に予め記憶されているデータとを比較回路１１４にて比較する。
【００１８】
この比較により、受信したＩＤおよびデータと、ＲＦＩＤデータ記憶部１１３に記憶されているデータとが一致した場合には、比較回路１１４から第１スイッチ１１２に制御信号が送られる。この制御信号を受けた第１スイッチ１１２は、公衆回線１１１と子機用送受信アンテナ１１７とを接続する。
【００１９】
また、子機用送受信アンテナ１１７から受信したＩＤおよびデータと、ＲＦＩＤ情報記憶部１１３に記憶されているデータとが一致したことを知らせる信号が携帯端末装置１５０のＲＦＩＤタグ１５７に送られる。
【００２０】
この信号を受けたＲＦＩＤタグ１５７は、第３スイッチ１５３に制御信号を送る。この制御信号により第３スイッチ１５３は、アンテナ１５１を子機モード処理部１５４に接続する。これにより、携帯端末装置１５０が固定電話機１１０の子機として使用することができるようになる。
【００２１】
このように、本実施の形態１に係る無線通信システム１００においては、固定電話機１１０が置かれている屋内における携帯端末装置１５０の子機モードと携帯モードとの切換を自動的に行うことができる。
【００２２】
（実施の形態２）
次に、本発明の実施の形態２に係る無線通信システムについて説明する。図２は、本発明の実施の形態２に係る無線通信システムの構成を示すブロック図である。なお、図２において実施の形態１に係る無線通信システム１００の構成と同一の構成または機能を有する構成要素及び相当部分には、同一の符号を付してその説明は繰り返さない。
【００２３】
図２に示すように、本実施の形態２に係る携帯端末装置２００は、固定電話機(親機)１１０と携帯端末装置２５０とを備えている。また、携帯端末装置２５０は、送受信アンテナ１５１、ＲＦＩＤ認証用アンテナ１５２、第３スイッチ１５３、子機モード処理部１５４、携帯モード処理部１５５、入出力部１５６、ＲＦＩＤタグ２５７、第４スイッチ２５８、内蔵電池２５９、を備えている。
【００２４】
この携帯端末装置２５０は、電源供給をするＲＦＩＤタグ２５７を用いて子機モードと携帯モードとを切り換える機能を有している。
【００２５】
図２を参照して、固定電話機１１０にかかってきた公衆電話を携帯端末装置２５０で受信する機能、および、携帯端末装置２５０から固定電話機１１０の公衆回線１１１を使用して送信する機能について説明する。
【００２６】
図２において、ユーザが、携帯端末装置２５０を固定電話機１１０の子機として送信する場合、入出力部１５６で行う子機モードへの切換設定により、第４スイッチ２５８に制御信号が送られる。
【００２７】
この制御信号を受けた第４スイッチ２５８は、ＲＦＩＤタグ２５７と内蔵電池２５９との接続を行う。これにより、ＲＦＩＤタグ２５７は、ＩＤ情報の発信を始める。このとき、固定電話機１１０のＲＦＩＤリーダ/ライタ１１５のアンテナ１１６が前記ＩＤ情報を受信すると、第２スイッチ１１８は、ＲＦＩＤリーダ/ライタ１１５への電源１１９を接続する。
【００２８】
これにより、ＲＦＩＤリーダ/ライタ１１５は、携帯端末装置２５０から送られてくるデータとＲＦＩＤデータ記憶部１１３に予め記憶されているデータとを比較回路１１４にて比較処理する。ここで、比較結果が一致すれば、実施の形態１に係る無線通信システム１００の場合と同様に、第１スイッチ１１２を用いてアンテナ１１７を公衆回線１１１に接続する。これにより、固定電話機１１０は、携帯端末装置２５０からの信号を受信する。
【００２９】
一方、ユーザが、携帯端末装置２５０を固定電話機１１０の子機として受信する場合には、固定電話機１１０の公衆回線１１１から第２スイッチ１１８の制御処理により発生するＲＦフィールドを、携帯端末装置２５０のアンテナ１５２が受信する。
【００３０】
これにより、携帯端末装置２５０の第４スイッチ２５８は、ＲＦＩＤタグ２５７と内蔵電池２５９との接続を行い、ＲＦＩＤタグ２５７がＩＤ情報の発信を始める。その後の動作は、実施の形態１に係る無線通信システム１００の場合と同様である。
【００３１】
このように、本実施の形態２に係る無線通信システム２００においては、携帯端末装置２５０のＲＦＩＤタグ２５７がアクティブタグとなるので、他の通信機器のＲＦＩＤリーダの影響で、携帯端末装置２５０のＲＦＩＤタグ２５７が不用意に情報を発信するという不具合の発生を防止することができる。
【産業上の利用可能性】
【００３２】
本発明に係る無線通信システムは、携帯端末装置が単独の子機として機能する携帯モードと、携帯端末装置が固定電話機の子機として使用される子機モードとを、自動的に切り換えることができ、モードの切り換えをキー操作により設定する煩わしさを解消することができるので、携帯端末装置を固定電話機の子機として使用する無線通信システムとして有用である。
【図面の簡単な説明】
【００３３】
【図１】本発明の実施の形態１に係る無線通信システムの構成を示すブロック図
【図２】本発明の実施の形態２に係る無線通信システムの構成を示すブロック図
【符号の説明】
【００３４】
１００，２００  携帯端末装置
１１０  固定電話機(親機)
１１１  公衆回線
１１２  第１スイッチ
１１３  ＲＦＩＤデータ記憶部
１１４  比較回路
１１５  ＲＦＩＤリーダ/ライタ
１１６，１５２  ＲＦＩＤ認証用アンテナ
１１７  子機用送受信アンテナ
１１８  第２スイッチ
１１９  電源
１５０，２５０  携帯端末装置(子機)
１５１  送受信アンテナ
１５３  第３スイッチ
１５４  子機モード処理部
１５５  携帯モード処理部
１５６  入出力部
１５７，２５７  ＲＦＩＤタグ
２５８  第４スイッチ
２５９  内蔵電池
【図１】
2006033244.tif 000003
【図２】
2006033244.tif 000004